(57)【要約】【課題】裏機構枠の裏面側に裏カバーを配設した場合において、裏機構枠における開口領域を効果的に拡大することができる遊技機用の裏機構枠の構造を提供すること。【解決手段】遊技機用の裏機構枠２の構造は、遊技盤を取り付けた本体枠の裏面側に配設した裏機構枠２と、裏機構枠２の開口領域２０を裏面側から覆う裏カバー６とを有している。開口領域２０は、上枠部２１、一対の側枠部２２、２３及び下枠部２４によって形成されている。裏カバー６は、第２側壁部６３における開閉支点部６５を、第２側枠部２３における支持部２７に係合させて、裏機構枠２に対して開閉するよう構成してあると共に、第１側壁部６２における被係止部６６を、第１側枠部２２における係止部４１に係止させて、開口領域２０の上部側を覆った状態を維持するよう構成してある。係止部４１は、球供給部４における２条の球通路の蛇行により生じたスペースを利用して形成してある。【選択図】図１
2008079957.tif 000002
【特許請求の範囲】
【請求項１】
遊技盤を取り付けた本体枠の裏面側に配設し、上枠部、一対の側枠部及び下枠部によって開口領域を形成してなる裏機構枠と、上記開口領域を裏面側から覆う裏カバーとを有する遊技機用の裏機構枠の構造において、
上記上枠部は、遊技球を貯留すると共に整流して流下させるための球整流部を配設してなり、
上記側枠部の一方である第１側枠部は、上記球整流部から遊技球を受け取り、該遊技球を下方へ流下させるための球供給部と、該球供給部の下端部に配設し、該球供給部内の遊技球を上記遊技機における球皿へ払い出す球払出装置とによって形成してあり、上記球供給部は、上記遊技機の上下方向に直交する断面が該遊技機の前後方向に長い長方形状を有しており、当該球供給部内には、２条の球通路が上記前後方向に並ぶ状態で該前後方向に蛇行して形成してあり、
上記側枠部の他方である第２側枠部は、薄板状の部材によって形成してあると共に、上記上下方向に直交する断面が上記前後方向に長い長方形状を有しており、
上記下枠部は、遊技済みの遊技球を上記遊技機の外部へ排出するための球排出部を配設してなり、
上記裏カバーは、上記裏機構枠の裏面側から上記開口領域の上部側を覆うと共に、上記上枠部の後方であって上記球整流部の下方に配置する上壁部と、上記第１側枠部の後方に配置する第１側壁部と、上記第２側枠部の後方に配置する第２側壁部と、上記上壁部と上記第１側壁部と上記第２側壁部とを後方端部において連結する天板部とを有しており、
かつ、上記裏カバーは、上記第２側壁部に形成した開閉支点部を、上記第２側枠部に形成した支持部に係合させて、上記裏機構枠に対して開閉可能であると共に、上記第１側壁部に形成した被係止部を、上記第１側枠部に形成した係止部に係止させて、上記開口領域の上部側を覆った状態を維持可能であり、
上記係止部は、上記球供給部における上記２条の球通路の蛇行により生じたスペースを利用して形成してあることを特徴とする遊技機用の裏機構枠の構造。
【発明の詳細な説明】
【技術分野】
【０００１】
本発明は、本体枠の裏面側に配設した裏機構枠の開口領域を、裏カバーによって裏面側から覆うよう構成した遊技機用の裏機構枠の構造に関する。
【背景技術】
【０００２】
パチンコ遊技機等の遊技機において、遊技盤の遊技領域へ発射された遊技球は、遊技盤に配設した入賞口に入賞するか、又は入賞口に入賞せずに遊技盤の下部に形成したアウト口に入る。そして、入賞口に入賞した遊技球であるセーフ球（入賞球）を入賞検知センサにより検知したときには、本体枠の裏面側に配設した裏機構枠においては、球払出装置から遊技機の前面側に配設した球皿へ、入賞球数に応じて所定数の遊技球を払い出している。
【０００３】
このような遊技機としては、例えば、特許文献１に開示されたものがある。この特許文献１の遊技機においては、遊技盤を取り付けた内枠（本体枠）の裏面において、遊技球を貯える貯球部であるタンク（球整流部）の略真下に下方へ直線状に延出する樋（球供給部）を設けると共に、この樋の出口近傍に賞球払出手段（球払出装置）を設け、かつこの賞球払出手段から払い出した遊技球を、内枠の前面側に配設した貯球皿へ導く球案内通路を設けている。これにより、樋の占有スペースを小さくして、遊技盤の裏面側における部品配置スペースを拡大すると共に、賞球払出手段から球案内通路へ払い出す遊技球の衝撃を軽減している。
【０００４】
また、特許文献２の遊技機においては、遊技機の裏面側において、制御基板及び制御基板取付台を覆う裏カバー体を開閉可能に配設しており、裏カバー体は、封印手段によって開放不能に封印するよう構成している。これにより、制御基板に対する不正行為を簡単な構造によって確実に防止している。
【０００５】
しかしながら、近年の遊技盤には、大型の液晶画面等の表示機器が配設されることが多く、上記裏機構枠には、上記表示機器の後方部分を挿通配置可能な開口領域を設けている。そのため、遊技盤に大きな表示機器を配設するためには、開口領域を大きく設ける必要があるものの、上記従来の遊技機においては、開口領域を十分に拡大させるための工夫はなされていない。
また、開口領域を十分に大きくするためには、上記裏カバー体の構造に工夫をする必要があるものの、上記従来の遊技機においては、このような工夫もなされていない。
【０００６】
【特許文献１】特開２００４−８９５０６号公報
【特許文献２】特開平１１−２６７３２５号公報
【発明の開示】
【発明が解決しようとする課題】
【０００７】
本発明は、かかる従来の問題点に鑑みてなされたもので、裏機構枠の裏面側に裏カバーを配設した場合において、裏機構枠における開口領域を効果的に拡大することができる遊技機用の裏機構枠の構造を提供しようとするものである。
【課題を解決するための手段】
【０００８】
本発明は、遊技盤を取り付けた本体枠の裏面側に配設し、上枠部、一対の側枠部及び下枠部によって開口領域を形成してなる裏機構枠と、上記開口領域を裏面側から覆う裏カバーとを有する遊技機用の裏機構枠の構造において、
上記上枠部は、遊技球を貯留すると共に整流して流下させるための球整流部を配設してなり、
上記側枠部の一方である第１側枠部は、上記球整流部から遊技球を受け取り、該遊技球を下方へ流下させるための球供給部と、該球供給部の下端部に配設し、該球供給部内の遊技球を上記遊技機における球皿へ払い出す球払出装置とによって形成してあり、上記球供給部は、上記遊技機の上下方向に直交する断面が該遊技機の前後方向に長い長方形状を有しており、当該球供給部内には、２条の球通路が上記前後方向に並ぶ状態で該前後方向に蛇行して形成してあり、
上記側枠部の他方である第２側枠部は、薄板状の部材によって形成してあると共に、上記上下方向に直交する断面が上記前後方向に長い長方形状を有しており、
上記下枠部は、遊技済みの遊技球を上記遊技機の外部へ排出するための球排出部を配設してなり、
上記裏カバーは、上記裏機構枠の裏面側から上記開口領域の上部側を覆うと共に、上記上枠部の後方であって上記球整流部の下方に配置する上壁部と、上記第１側枠部の後方に配置する第１側壁部と、上記第２側枠部の後方に配置する第２側壁部と、上記上壁部と上記第１側壁部と上記第２側壁部とを後方端部において連結する天板部とを有しており、
かつ、上記裏カバーは、上記第２側壁部に形成した開閉支点部を、上記第２側枠部に形成した支持部に係合させて、上記裏機構枠に対して開閉可能であると共に、上記第１側壁部に形成した被係止部を、上記第１側枠部に形成した係止部に係止させて、上記開口領域の上部側を覆った状態を維持可能であり、
上記係止部は、上記球供給部における上記２条の球通路の蛇行により生じたスペースを利用して形成してあることを特徴とする遊技機用の裏機構枠の構造にある（請求項１）。
【０００９】
本発明の遊技機用の裏機構枠の構造においては、裏機構枠における開口領域を拡大するための種々の工夫を行っている。
具体的には、本発明の第１側枠部は、球供給部と球払出装置とによって形成している。そして、球供給部は、上下方向に直交する断面が前後方向に長い長方形状を有しており、球供給部内には、２条の球通路が前後方向に並べた状態で前後方向に蛇行させて形成してある。これにより、第１側枠部の左右方向の寸法を小さくすることができ、上記開口領域を左右方向へ拡大することができる。
【００１０】
また、本発明の第２側枠部は、薄板状の部材によって形成している。そして、第２側枠部は、上下方向に直交する断面が前後方向に長い長方形状を有している。これにより、第２側枠部の左右方向の寸法を小さくすることができ、上記開口領域を左右方向へさらに拡大することができる。
【００１１】
また、本発明の裏カバーは、上記上壁部、第１側壁部及び第２側壁部を後方端部において天板部によって連結してなる。すなわち、裏カバーによって開口領域の上部側を裏面側から覆ったときには、裏カバーの上壁部は、上枠部の後方に配置され、裏カバーの第１側壁部は、第１側枠部の後方に配置され、裏カバーの下壁部は、下枠部の後方に配置される。これにより、裏カバーを裏機構枠の裏面側に配設することによって、この裏カバーが裏機構枠の開口領域を縮小させてしまうことを防止することができる。
【００１２】
また、本発明の裏カバーによれば、仮に球整流部又はその周辺から遊技球が落下したときでも、上壁部、第１側壁部、第２側壁部及び天板部によって、当該遊技球が、裏機構枠に配設した各種機能部品又は開口領域に挿通配置した表示機器もしくは入賞機器等の後方部分に接触してしまうことを防止することができる。
【００１３】
さらに、本発明の裏カバーは、第２側壁部側を中心に開閉するよう構成し、第１側壁部側によって、開口領域の上部側を覆った状態を維持するよう構成している。そして、第１側壁部の被係止部を係止させる第１側枠部の係止部は、球供給部における２条の球通路の蛇行により生じたスペースを利用して形成してある。これにより、第１側枠部において、係止部を形成するために特別のスペースを確保する必要がなく、第１側枠部の左右方向の寸法をより小さくすることができ、上記開口領域を左右方向へより一層拡大することができる。
【００１４】
それ故、本発明の遊技機用の裏機構枠の構造によれば、裏機構枠の裏面側に裏カバーを配設した場合において、裏機構枠における開口領域を効果的に拡大することができる。
【発明を実施するための最良の形態】
【００１５】
以下に、本発明の遊技機用の裏機構枠の構造にかかる実施例につき、図面と共に説明する。
本例の遊技機用の裏機構枠２の構造は、図１、図２に示すごとく、遊技盤を取り付けた本体枠の裏面側に配設した裏機構枠２と、この裏機構枠２の開口領域２０を裏面側から覆う裏カバー６とを有している。また、開口領域２０は、上枠部２１、一対の側枠部２２、２３及び下枠部２４によって形成されている。
【００１６】
図１、図２に示すごとく、上記上枠部２１には、遊技球を貯留すると共に整流して流下させるための球整流部３が配設してある。また、上記側枠部の一方である第１側枠部２２は、球整流部３から遊技球を受け取り、この遊技球を下方へ流下させるための球供給部４と、球供給部４の下端部に配設し、球供給部４内の遊技球を遊技機における球皿へ払い出す球払出装置５とによって形成してある。
また、球供給部４は、遊技機の上下方向Ｈに直交する断面が遊技機の前後方向Ｄに長い長方形状を有しており、球供給部４内には、２条の球通路４０が前後方向Ｄに並ぶ状態で前後方向Ｄに蛇行して形成してある。
【００１７】
図３、図４に示すごとく、上記側枠部の他方である第２側枠部２３は、薄板状の部材によって形成してあると共に、上下方向Ｈに直交する断面が前後方向Ｄに長い長方形状を有している。また、上記下枠部２４には、遊技済みの遊技球を遊技機の外部へ排出するための球排出部２４１が配設してある。
図１、図２に示すごとく、上記裏カバー６は、裏機構枠２の裏面側から開口領域２０の上部側を覆うよう構成してある。また、裏カバー６は、上枠部２１の後方であって球整流部３の下方に配置する上壁部６１と、第１側枠部２２の後方に配置する第１側壁部６２と、第２側枠部２３の後方に配置する第２側壁部６３と、上壁部６１と第１側壁部６２と第２側壁部６３とを後方端部において連結する天板部６０とを有している。
【００１８】
また、図１、図５、図６に示すごとく、裏カバー６は、第２側壁部６３に形成した開閉支点部６５を、第２側枠部２３に形成した支持部２７に係合させて、裏機構枠２に対して開閉するよう構成してあると共に、第１側壁部６２に形成した被係止部６６を、第１側枠部２２に形成した係止部４１に係止させて、開口領域２０の上部側を覆った状態を維持するよう構成してある。図２に示すごとく、係止部４１は、球供給部４における２条の球通路４０の蛇行により生じたスペースを利用して形成してある。
なお、図２〜図４、図６〜図８において、パチンコ遊技機１における前方側をＤ１で示す。
【００１９】
以下に、本例の遊技機用の裏機構枠２の構造につき、図１〜図９と共に詳説する。
本例の遊技機は、パチンコ遊技を行うパチンコ遊技機１である。このパチンコ遊技機１は、外枠に対して、遊技盤を配設してなる本体枠を開閉可能に配設してなる。また、本体枠の前面側に配設した前面パネルには、遊技球を貯留する球皿が配設してある。
【００２０】
また、図４に示すごとく、球払出装置５から払い出された遊技球を球皿へ導くための球払出部１２は、裏機構枠２の下枠部２４から本体枠の下枠部分へ掛け渡して形成してあり、球払出部１２の下流側端部は、前面パネルにおいて球皿へ遊技球を流下させる位置に開口している。
また、図１、図２に示すごとく、本例の球整流部３は、上枠部２１における左右方向Ｗの一端部から他端部まで形成してあり、球整流部３の下流側端部は、球供給部４の上流側端部に連結されている。球整流部３において、遊技球は、前後方向Ｄに並ぶ２列の状態に整流され（図８参照）、この２列の状態で球供給部４へ流下する。
【００２１】
また、図１に示すごとく、本体枠における遊技盤には、液晶画面等の大型の表示機器１３や入賞機器１４が配設してあり、表示機器１３の後方部分は、裏機構枠２の開口領域２０内に挿通配置されている。裏カバー６は、裏機構枠２の開口領域２０から後方へ突出した部分を、裏機構枠２の裏面側から覆っている。
また、裏機構枠２の下枠部２４には、交流電力を直流電力に変換する電源ユニット２５、球発射装置（図示略）等の制御を行う制御ユニット２６等が配設してある。
【００２２】
また、図２、図７に示すごとく、本例の球供給部４は、裏機構枠２における上枠部２１及び下枠部２４を構成する樹脂製の枠構成部材２Ａと合成樹脂により一体成形した板状側壁２２１と、この板状部分に係合して２条の球通路４０を形成する通路構成部材４Ａとによって形成してある。この通路構成部材４Ａは、上記２条の球通路４０の３辺の側壁を形成してなり、残りの１辺の側壁は、上記板状側壁２２１によって形成してある。これにより、板状側壁２２１の剛性を利用して、球供給部４を構成することができ、球供給部４における変形、たわみ等を小さくすることができる。
【００２３】
また、図１、図３に示すごとく、裏機構枠２の第２側枠部２３は、必要な強度を確保して、その左右方向Ｗにおける厚みを極力薄くするために、板金２３１（鋼板）によって形成してある。そして、この板金２３１には、電気ケーブル２３３を収容する配線カバー２３２が設けてある。なお、配線カバー２３２内に収容する電気ケーブル２３３は、パチンコ遊技機１の外部から電源ユニット２５へ電力を供給するための電源ケーブル等である。
また、裏カバー６の下方には、開口部６４が形成されている。そして、遊技盤における電装部品と裏機構枠２における電装部品との間の電気接続用ハーネス等の配線は、開口部６４を介して行うことができる。
【００２４】
図１、図３に示すごとく、本例の裏カバー６の第２側壁部６３における開閉支点部６５は、第２側壁部６３の上下２箇所に形成してあり、裏機構枠２の第２側枠部２３における支持部２７は、第２側枠部２３の上下２箇所であって、開閉支点部６５に対応する位置に形成してある。
また、図５に示すごとく、各開閉支点部６５は、下方に突出する軸部６５１を有しており、各支持部２７は、上記軸部６５１を挿入配置する軸部用穴２７１を有している。
そして、裏カバー６は、各開閉支点部６５の軸部６５１を、各支持部２７の軸部用穴２７１内に上方から挿入した状態で、開閉するよう構成されている。
【００２５】
また、本例においては、上側の開閉支点部６５における軸部６５１の長さと、下側の開閉支点部６５における軸部６５１の長さとは異なっている。これにより、裏機構枠２の支持部２７における軸部用穴２７１に対する裏カバー６の開閉支点部６５における軸部６５１の抜差しが容易になり、裏機構枠２に対する裏カバー６の着脱が容易になる。なお、上下の開閉支点部６５における軸部６５１の長さを、上側の開閉支点部６５における軸部６５１の長さを下側の開閉支点部６５における軸部６５１の長さよりも長くすることができ、その逆にすることもできる。
【００２６】
図１、図８に示すごとく、本例の裏カバー６における上壁部６１と天板部６０との間の角部には、複数の放熱用穴６１１が形成してある。この放熱用穴６１１を形成したことにより、本体枠又は裏機構枠２に配設した電装部品から発生する熱を、裏カバー６の外部へ効果的に放出することができる。また、複数の放熱用穴６１１を、上壁部６１と天板部６０との間の角部に形成したことにより、放熱用穴６１１に沿って遊技球を落下させることが可能になり、遊技球が上壁部６１に停留してしまうことを防止することができる。
【００２７】
また、図２、図８に示すごとく、本例の裏カバー６の天板部６０は、放熱用穴６１１を形成した上端側部分６０１を、球整流部３の後方壁面の下方に位置させ、その他の部分６０２を、上端側部分６０１の前後方向位置よりも後方側に位置させて形成してある。そして、上端側部分６０１とその他の部分６０２との間の段部には、傾斜面が形成してある。これにより、仮に球整流部３から遊技球が落下した場合に、この遊技球を、傾斜面に衝突させてパチンコ遊技機１の後方へ誘導することができる。そのため、上記遊技球が、パチンコ遊技機１の裏面における配線部分の周辺に引っ掛かってしまうことを防止することができる。
【００２８】
また、図８に示すごとく、裏カバー６によって、裏機構枠２の裏面側から開口領域２０の上部側を覆ったときには、裏カバー６の上壁部６１は、裏機構枠２の上枠部２１の後方であって球整流部３の下方に位置する。そのため、裏カバー６は、９０°に近い状態まで開けたときに上方へ持ち上げることによって、各支持部２７の軸部用穴２７１から各開閉支点部６５の軸部６５１を抜き出して、裏機構枠２から取り外すことができる。これにより、裏カバー６が誤って裏機構枠２から外れてしまうことを防止することができる。
【００２９】
図３、図５に示すごとく、本例の各支持部２７は、合成樹脂からなり、裏機構枠２の第２側壁部６３を構成する板金２３１に取り付けてある。これにより、裏カバー６を開閉させるときに、合成樹脂からなる裏カバー６の各開閉支点部６５を、合成樹脂からなる各支持部２７に対して摺動させることができ、各開閉支点部６５の磨耗を抑制することができる。
なお、図９に示すごとく、支持部２７は、第２側枠部２３を構成する板金２３１から延長して形成することもできる。
【００３０】
図６に示すごとく、本例の裏機構枠２の第１側枠部２２における係止部４１は、球供給部４の内側に陥没して形成した凹部４１によって形成してある。また、本例の裏カバー６の第１側壁部６２における被係止部６６は、上記凹部４１内に収容する形状を有している。凹部４１は、球供給部４の後方内側の角部に形成してあり、被係止部６６は、角部に形成した凹部４１に収容する屈曲形状を有している。
【００３１】
そして、図７に示すごとく、この屈曲形状の先端部に形成した突起６６１を凹部４１の側壁に係止することによって、裏機構枠２に対して裏カバー６を閉じた状態を維持することができる。また、被係止部６６は、係止部４１に係止した状態において、球供給部４の長方形状の断面内に配置させることができる。これにより、本例のパチンコ遊技機１を複数台並べて遊技店に設置した際に、島設備側の柱等の前方に球供給部４を配置したときには、被係止部６６が配置の障害物になることを防止することができる。
【００３２】
また、図１、図２、図６に示すごとく、係止部４１は、第１側枠部２２の上下２箇所に形成してあり、被係止部６６は、第１側壁部６２の上下２箇所であって、係止部４１に対応する位置に形成してある。また、本例の第１側枠部２２においては、上下２箇所の係止部４１同士の間に、裏カバー６の上下位置を固定するための位置決め凹部４２が形成してあり、第１側壁部６２の上下２箇所の被係止部６６同士の間には、上記位置決め凹部４２内に配置する位置決め突起６７が形成してある。また、図６に示すごとく、係止部４１の上下の端部には、被係止部６６の係合をガイドする傾斜部分４１１が形成してある。
【００３３】
そして、裏機構枠２に対して裏カバー６を閉じる際には、各係止部４１の傾斜部分によってガイドさせながら当該各係止部４１に各被係止部６６を合わせて、裏機構枠２に対する裏カバー６の大まかな位置を決定することができる。また、各係止部４１に各被係止部６６を係合させた後においては、位置決め凹部４２内に位置決め突起６７を配置することによって、裏カバー６の上下方向Ｈの位置を確実に規制し、裏機構枠２に対して裏カバー６を閉じた状態を安定して維持することができる。
また、上記枠構成部材２Ａにおける板状側壁２２１には、裏カバー６の第１側壁部６２の下端部を支持する支持用切欠き２２２が形成してある。この支持用切欠き２２２により、裏カバー６を閉じた状態を一層安定して支えることができる。
【００３４】
本例の遊技機用の裏機構枠２の構造においては、裏機構枠２における開口領域２０を拡大するための種々の工夫を行っている。
具体的には、本例の第１側枠部２２は、球供給部４と球払出装置５とによって形成している。そして、球供給部４は、上下方向Ｈに直交する断面が前後方向Ｄに長い長方形状を有しており、球供給部４内には、２条の球通路４０が前後方向Ｄに並べた状態で前後方向Ｄに蛇行させて形成してある。これにより、第１側枠部２２の左右方向Ｗの寸法を小さくすることができ、上記開口領域２０を左右方向Ｗへ拡大することができる。
【００３５】
また、本例の第２側枠部２３は、薄板状の部材によって形成している。そして、第２側枠部２３は、上下方向Ｈに直交する断面が前後方向Ｄに長い長方形状を有している。これにより、第２側枠部２３の左右方向Ｗの寸法を小さくすることができ、上記開口領域２０を左右方向Ｗへさらに拡大することができる。
【００３６】
また、本例の裏カバー６は、上記上壁部６１、第１側壁部６２及び第２側壁部６３を後方端部において天板部６０によって連結してなる。すなわち、裏カバー６によって開口領域２０の上部側を裏面側から覆ったときには、裏カバー６の上壁部６１は、上枠部２１の後方に配置され、裏カバー６の第１側壁部６２は、第１側枠部２２の後方に配置される。これにより、裏カバー６を裏機構枠２の裏面側に配設することによって、この裏カバー６が裏機構枠２の開口領域２０を縮小させてしまうことを防止することができる。
【００３７】
また、本例の裏カバー６によれば、仮に球整流部３又はその周辺から遊技球が落下したときでも、上壁部６１、第１側壁部６２、第２側壁部６３及び天板部６０によって、当該遊技球が、裏機構枠２に配設した各種機能部品、又は開口領域２０に挿通配置した表示機器１３もしくは入賞機器１４等の後方部分に接触してしまうことを防止することができる。
【００３８】
さらに、本例の裏カバー６は、第２側壁部６３側を中心に開閉するよう構成し、第１側壁部６２側によって、開口領域２０の上部側を覆った状態を維持するよう構成している。そして、第１側壁部６２の被係止部６６を係止させる第１側枠部２２の係止部４１は、球供給部４における２条の球通路４０の蛇行により生じたスペースを利用して形成してある。そして、被係止部６６は、係止部４１に係止した状態において、球供給部４の長方形状の断面内に配置させることができる。これにより、第１側枠部２２において、係止部４１を形成するために特別のスペースを確保する必要がなく、第１側枠部２２の左右方向Ｗの寸法をより小さくすることができ、上記開口領域２０を左右方向Ｗへより一層拡大することができる。
【００３９】
それ故、本例の遊技機用の裏機構枠２の構造によれば、裏機構枠２の裏面側に裏カバー６を配設した場合において、裏機構枠２における開口領域２０を効果的に拡大することができる。
【図面の簡単な説明】
【００４０】
【図１】実施例における、遊技機用の裏機構枠を示す裏面図。
【図２】実施例における、遊技機用の裏機構枠を第１側枠部側から見た状態で示す側面図。
【図３】実施例における、遊技機用の裏機構枠における第２側枠部を示す斜視図。
【図４】実施例における、遊技機用の裏機構枠における下枠部を示す斜視図。
【図５】実施例における、遊技機用の裏機構枠における第２側枠部の支持部と、裏カバーの第２側壁部における開閉支点部との係合状態を示す斜視図。
【図６】実施例における、遊技機用の裏機構枠における第１側枠部の係止部と、裏カバーの第１側壁部における被係止部との係合状態を示す斜視図。
【図７】実施例における、遊技機用の裏機構枠における第１側枠部の係止部と、裏カバーの第１側壁部における被係止部との係合状態を示す断面説明図。
【図８】実施例における、遊技機用の裏機構枠における上枠部の周辺を示す断面説明図。
【図９】実施例における、遊技機用の裏機構枠における第２側枠部の他の支持部を示す斜視図。
【符号の説明】
【００４１】
１  パチンコ遊技機
２  裏機構枠
２０  開口領域
２１  上枠部
２２  第１側枠部
２３  第２側枠部
２４  下枠部
２４１  球排出部
２７  支持部
３  球整流部
４  球供給部
４０  球通路
４１  係止部
５  球払出装置
６  裏カバー
６０  天板部
６１  上壁部
６２  第１側壁部
６３  第２側壁部
６４  開口部
６５  開閉支点部
６６  被係止部
Ｈ  上下方向
Ｗ  左右方向
Ｄ  前後方向
【図１】
2008079957.tif 000003
【図２】
2008079957.tif 000004
【図３】
2008079957.tif 000005
【図４】
2008079957.tif 000006
【図５】
2008079957.tif 000007
【図６】
2008079957.tif 000008
【図７】
2008079957.tif 000009
【図８】
2008079957.tif 000010
【図９】
2008079957.tif 000011